Podtech/llm-jp-corpus-v4-ja_patent huggingface dataset:
(57)【要約】【課題】構造が簡略で低コストであり、飲料カップに蓋をしたままで中の飲料を飲むことができ、さらに、飲料を入れた状態で持ち運んでも中の飲料がこぼれ難い飲料カップ用蓋を提供することにある。【解決手段】天面板部の周囲に沿って所定幅の頂面を有する隆起部Ａと、前記隆起部Ａより高く、半月状頂面を有する隆起部Ｂとを連設し、前記隆起部Ａと隆起部Ｂの外側の下端に飲料カップの開口部に係合するための取付部を設けてなる飲料カップ用蓋であって、前記隆起部Ｂの半月状頂面に所定形状の凹部が設けられ、前記凹部の底面に飲み口孔が設けられており、前記凹部が略長方形の外周を有し、長方形の短辺の長さより大きい値の深さを有する形状である。【選択図】図１
2008247397.tif 000002
【特許請求の範囲】
【請求項１】
天面板部の周囲に沿って、所定幅の頂面を有する隆起部Ａと、前記隆起部Ａより高く且つ半月状頂面を有する隆起部Ｂとを連設し、前記隆起部Ａと隆起部Ｂの外側の下端に飲料カップの開口部に係合するための取付部を設けてなる飲料カップ用蓋であって、前記隆起部Ｂの半月状頂面に所定形状の凹部が設けられ、前記凹部の底面に飲み口孔が設けられていることを特徴とする飲料カップ用蓋。
【請求項２】
前記凹部が略長方形の外周を有し、長方形の短辺の長さより大きい値の深さを有する形状であることを特徴とする請求項１記載の飲料カップ用蓋。
【発明の詳細な説明】
【技術分野】
【０００１】
本発明は飲料カップに使用する蓋に関するもので、さらに詳しくは、蓋をかぶせたままでカップ内飲料を飲用できるように蓋に飲み口孔を設けた飲料カップ用蓋に関するものである。
【背景技術】
【０００２】
近年、液体飲料の包装容器として各種形態のものが使用されている。例えば、コーヒー飲料の場合は、飲料カップに蓋をかぶせたままで蓋に設けた孔からストローを挿入し、中のコーヒー飲料を飲む形態のもの、あるいは、飲料カップに蓋をかぶせたままで、蓋に設けた飲み口孔から中のコーヒー飲料を直接飲む形態のものなどがある。後者の形態のものに使用する蓋が種々提案されている（例えば、特許文献１、特許文献２参照。）。
【特許文献１】意匠登録第１２６２１５６号公報
【特許文献２】特開２００６−１６０３６６号公報
【発明の開示】
【発明が解決しようとする課題】
【０００３】
しかし、前記特許文献１に提案されている飲料カップの蓋は、飲み口孔の周囲の所定部分にスリットを設けたもので、飲料カップ内に液体飲料を入れた状態で持ち運んだりするとスリットの部分からこぼれ易い欠点を有していた。また、前記特許文献２に提案されている飲料カップの蓋は、蓋の天面板部の周囲に形成した起立部の頂面に飲み口孔を設け、前記飲み口孔を覆うカバー体を前記起立部に沿ってスライド自在に設けたもので、前記カバー体をスライドさせて飲み口孔を開閉可能にすることで、蓋をしたままで中の飲料を飲むことができ、飲用しないときはカップ内を密閉し、中の飲料が漏れ出すのを防ぐことができるようになっているが、別パーツであるカバー体を使用しているので、２パーツになり、最終製品にする為の組み立て工程が必要で、構造が複雑でコストが高くなってしまう欠点があった。
【０００４】
本発明の課題は、構造が簡略で低コストであり、飲料カップに蓋をしたままで中の飲料を飲むことができ、さらに飲料を入れた状態で持ち運んでも中の飲料がこぼれ難い飲料カップ用蓋を提供することにある。
【課題を解決するための手段】
【０００５】
本発明の請求項１に係る発明は、天面板部の周囲に沿って、所定幅の頂面を有する隆起部Ａと、前記隆起部Ａより高く且つ半月状頂面を有する隆起部Ｂとを連設し、前記隆起部Ａと隆起部Ｂの外側の下端に飲料カップの開口部に係合するための取付部を設けてなる飲料カップ用蓋であって、前記隆起部Ｂの半月状頂面に所定形状の凹部が設けられ、前記凹部の底面に飲み口孔が設けられていることを特徴とする飲料カップ用蓋である。
【０００６】
本発明の請求項２に係る発明は、上記請求項１に係る発明において、前記凹部が略長方形の外周を有し、長方形の短辺の長さより大きい値の深さを有する形状であることを特徴とする飲料カップ用蓋である
【発明の効果】
【０００７】
本発明の飲料カップ用蓋は、天面板部の周囲に沿って、所定幅の頂面を有する隆起部Ａと、前記隆起部Ａより高く且つ半月状頂面を有する隆起部Ｂとを連設し、前記隆起部Ａと
隆起部Ｂの外側の下端に飲料カップの開口部に係合するための取付部を設けてなる飲料カップ用蓋であって、前記隆起部Ｂの半月状頂面に所定形状の凹部が設けられ、前記凹部の底面に飲み口孔が設けられており、前記凹部が略長方形の外周を有し、長方形の短辺の長さより大きい値の深さを有する形状であるので、構造が簡略で低コストであり、飲料カップ内の液体飲料をストローなどを使用しないで飲み口孔から直接飲むことができ、さらに飲料を入れた状態で持ち運んでも中の飲料がこぼれ難い。
【発明を実施するための最良の形態】
【０００８】
本発明の飲料カップ用蓋を実施の形態に沿って、以下に説明する。図１（ａ）は本発明の飲料カップ用蓋の一実施形態を示す斜視図であり、（ｂ）は（ａ）のＡ−Ａ′線断面図である。飲料カップ用蓋（１）は、天面板部（２）の周囲に沿って所定幅の頂面（３ａ）を有する隆起部Ａ（３）と、前記隆起部Ａ（３）より高く且つ半月状頂面（４ａ）を有する隆起部Ｂ（４）とが連設されており、前記隆起部Ａ（３）と隆起部Ｂ（４）の外側の下端に飲料カップの開口部に係合するための取付部（５）が設けられており、前記隆起部Ｂ（４）の半月状頂面（４ａ）に凹部（６）が設けられており、さらに、前記凹部（６）の底面に飲み口孔（７）が設けられている。前記凹部（６）は短辺の長さがｈ1で、長辺の長さがｈ2の略長方形の外周を有し且つ深さがｄの形状になっている。
【０００９】
前記凹部（６）はｈ1の値が４〜１０ｍｍ程度で、ｈ2の値が１５〜２０ｍｍ程度の略長方形の外周を有し且つｄの値がｈ1より大である形状が好ましい。また、前記飲み口孔（７）は凹部（６）の外周より１ｍｍ程度小さい同形状のものが好ましい。
【００１０】
本発明の飲料カップ用蓋は、上記記載の形状、寸法の凹部（６）及び飲み口孔（７）を設けることで、蓋をしたままで中の飲料を飲むことができるだけでなく、飲料を入れた状態で持ち運んだ時も飲料が飲み口孔（７）から飛び出しても凹部（６）の部分に留まって外側にこぼれることが無く、又中の飲料が凹部（６）で一度外気に触れるために熱くて飲めないなどが無い。
【００１１】
前記飲料カップ用蓋（１）は、プラスチック樹脂フィルムを用いて成形したものからなっており、プラスチック樹脂の種類としては、スチレン樹脂、ポリプロピレン樹脂、ポリエステル樹脂などが使用される。
【００１２】
なお、本発明の飲料カップ用蓋は、飲料カップにかぶせた状態で中を密閉したい時は凹部（６）の上面をラベルなどで覆って密封しても良い。
【図面の簡単な説明】
【００１３】
【図１】（ａ）は本発明の飲料カップ用蓋の一実施形態を示す斜視図であり、（ｂ）は（ａ）のＡ−Ａ′線断面図である。
【符号の説明】
【００１４】
１…飲料カップ用蓋
２…天面板部
３…隆起部Ａ
４…隆起部Ｂ
５…取付部
６…凹部
７…飲み口孔
ｈ1 ，ｈ2…長さ
ｄ…深さ
【図１】
2008247397.tif 000003
(57)【要約】【課題】本発明は、コストや人手や時間をかけることなく、骨材に含まれる微粒分量を容易に低減しうる方法を提供することを目的とする。【解決手段】骨材をベルトコンベアからホッパに落下させる間に、当該骨材に対し送風および吸引を行うことにより微粒分を除去することを特徴とする、骨材に含まれる微粒分量の低減方法を提供する。【選択図】なし【特許請求の範囲】
【請求項１】
骨材をベルトコンベアからホッパに落下させる間に、当該骨材に対し送風および吸引を行うことにより微粒分を除去することを特徴とする骨材に含まれる微粒分量の低減方法。
【発明の詳細な説明】
【技術分野】
【０００１】
本発明は、骨材、特にレディーミクストコンクリート用骨材に含まれる微粒分量の低減方法に関する。
【背景技術】
【０００２】
従来から骨材の微粒分量は製造時に製造元で管理されている。そして、骨材の製造において骨材に含まれる微粒分量は、ＪＩＳ  Ａ  ５００５に規定する規格値以下（砕石：１．０重量％以下、砕砂：７．０重量％以下）でなければならないとされている。しかし、骨材をストックヤードや骨材サイロへ投入する際のベルトコンベアでの移送による高所からの落下の衝撃や、船舶やダンプ等で輸送・運搬中の振動・すりもみ等により、骨材の微粒分量は増大する。ここで微粒分量とはＪＩＳ  Ａ  １１０３「骨材の微粒分量試験方法」における骨材の微粒分量をいう。
【０００３】
かかる微粒分量が増大すると、例えばレディーミクストコンクリート工場では、骨材を一度、別の置き場に移し機械式のふるいを用い手間と労力をかけてふるい分けている。レディーミクストコンクリート工場以外の骨材の貯蔵場所においても同様である。しかし、一般にレディーミクストコンクリート工場や骨材の貯蔵場所は狭く、また人員不足のため、現実には十分な管理および微粒分量の低減ができない状態である。
【０００４】
特に、コンクリートに使用した場合に品質が高いと評価されている石灰石砕石および石灰石砕砂は岩質が比較的やわらかいため、運搬中のすりもみにより微粒分量が増大しやすい。また、石灰石骨材は大型船を使用して長距離を数千t単位で運搬されることが多いため、微粒分が大量に生成し、この微粒分の除去には、さらにコスト、人手および時間が必要となる。このように、骨材中において増大した微粒分の除去は容易ではない。
【発明の開示】
【発明が解決しようとする課題】
【０００５】
そこで、本発明は、コストや人手や時間をかけることなく、骨材に含まれる微粒分量を容易に低減しうる方法を提供することを目的とする。
【課題を解決するための手段】
【０００６】
かかる実情に鑑みて本発明者は種々検討した結果、砕石および砕砂中の微粒分量を上記ＪＩＳの規格値以下に低減させる方法を見出し本発明を完成した。すなわち、本発明は、骨材をベルトコンベアからホッパに落下させる間に、当該骨材に対し送風および吸引を行うことにより微粒分を除去することを特徴とする骨材に含まれる微粒分量の低減方法である。
【発明の効果】
【０００７】
本発明によれば、コストや人手や時間をかけることなく、骨材に含まれる微粒分量を容易に低減させることができる。
【発明を実施するための最良の形態】
【０００８】
図１に基づき、本発明について以下にさらに詳細に説明する。
骨材受け入れホッパ１に収容されている骨材は、受入れベルトコンベア２上に載置された後運ばれつつ骨材表面乾燥機６により乾燥される。そして、乾燥された骨材は受入れベルトコンベア２の端部から分配用ホッパ３へ落下する間に送風を受け、これによって骨材に含まれる微粒分は骨材から分離される。この分離された微粒分は送風・吸引により生じた空気の流れに乗ってフィルターを通過して捕集される一方、微粒分が分離された骨材は分配用ホッパ３に収容される。次に、分配用ホッパ３に収容された骨材は分配用ベルトコンベアに載置されて、ストックヤードや骨材サイロ等の骨材貯蔵設備へと運ばれる。なお、乾燥した骨材の場合には、上記骨材表面乾燥機6による乾燥は省略してもよい。
【実施例】
【０００９】
表１に示すようにベルトコンベアの速度並びに吸引および送風の風速を調整して、分配用ホッパへの落下前後の石灰石砕石および石灰石砕砂に含まれる微粒分量を測定した。その結果、本発明（実施例１および２）によれば骨材に含まれる微粒分量をＪＩＳ  Ａ  ５００５に規定する規格値以下（砕石：１．０重量％以下、砕砂：７．０重量％以下）にすることができた。
【００１０】
【表１】
2008247622.tif 000002
【図面の簡単な説明】
【００１１】
【図１】本発明を実施するための一装置の図である。
【符号の説明】
【００１２】
1  骨材受入れホッパ
2  受入れベルトコンベア
3  分配用ホッパ.
4  フィルター
5  分配用ベルトコンベア
6  骨材表面乾燥機 
【図１】
2008247622.tif 000003
(57)【要約】【課題】取り外した栓体が邪魔にならず、デザイン的にも優れた注出ノズルを提案する。【解決手段】注出ノズルを、容器の口部に配置されその内部通路1aを通して容器内の内容物を排出する注出筒体1と、この注出筒体1の先端に着脱自在に嵌合保持され該注出筒体1の先端開口1dを閉塞する栓体2と、注出筒体1を通す貫通孔3aを有し該貫通孔3aを通過させた注出筒体1を容器の口部にねじ止め固定するベースキャップ3にて構成する。そして、前記注出筒体1の末端部に、容器の口部の内周壁に嵌合する嵌合筒1bと、この嵌合筒1bの嵌合姿勢で容器の口部端面に当接するとともにベースキャップ3の天面壁3bとの間にて挟持して注出筒体1を容器の口部に固定するフランジ部1cを設け、前記ベースキャップ3と栓体2とを、注出筒体1の周りに沿って設置される螺旋状の弾性部材4で連結する。【選択図】図１
2008247456.tif 000002
【特許請求の範囲】
【請求項１】
容器の口部に配置されその内部通路を通して容器内の内容物を排出する注出筒体と、この注出筒体の先端に着脱自在に嵌合保持され該注出筒体の先端開口を閉塞する栓体と、注出筒体を通す貫通孔を有し該貫通孔を通過させた注出筒体を容器の口部にねじ止め固定するベースキャップからなり、
前記注出筒体の末端部に、容器の口部の内周壁に嵌合する嵌合筒と、この嵌合筒の嵌合姿勢で容器の口部端面に当接するとともにベースキャップの天面壁との間にて挟持して注出筒体を容器の口部に固定するフランジ部を設け、
前記ベースキャップと栓体とを、注出筒体の周りに沿って設置される螺旋状の弾性部材にて連結してなる、ことを特徴とする注出ノズル。
【請求項２】
前記弾性部材が、樹脂製のスプリングからなる、請求項1記載の注出ノズル。
【発明の詳細な説明】
【技術分野】
【０００１】
本発明は、とくにスクイズタイプの容器の口部に装着して好適な注出ノズルに関するものである。
【背景技術】
【０００２】
ソースやドレッシング等の調味料を入れる容器としてはスクイズタイプの容器が多用されており、内容物を注出するノズルには、可撓性のあるバンドによって脱落不能に係留され、ノズルの先端開口を閉塞するキャップが備え付けられているのが普通である（例えば特許文献1参照）。
【特許文献１】特開2000-159254号公報
【０００３】
ところで、この種の容器における注出ノズルは、デザイン的にはどれも代わり映えせず、しかも、内容物の注出の際にバンドに係留されたキャップが邪魔になることもあって、その点に関する改善の余地が残されていた。
【発明の開示】
【発明が解決しようとする課題】
【０００４】
本発明の課題は、ノズルを閉塞するキャップが邪魔にならず、デザイン性に優れた注出ノズルを提案するところにある。
【課題を解決するための手段】
【０００５】
本発明は、容器の口部に配置されその内部通路を通して容器内の内容物を排出する注出筒体と、この注出筒体の先端に着脱自在に嵌合保持され該注出筒体の先端開口を閉塞する栓体と、注出筒体を通す貫通孔を有し該貫通孔を通過させた注出筒体を容器の口部にねじ止め固定するベースキャップからなり、
前記注出筒体の末端部に、容器の口部の内周壁に嵌合する嵌合筒と、この嵌合筒の嵌合姿勢で容器の口部端面に当接するとともにベースキャップの天面壁との間にて挟持して注出筒体を容器の口部に固定するフランジ部を設け、
前記ベースキャップと栓体とを、注出筒体の周りに沿って設置される螺旋状の弾性部材にて連結してなる、ことを特徴とする注出ノズルであり、前記弾性部材は、樹脂製のスプリングとするのがとくに好ましい。
【発明の効果】
【０００６】
注出筒体の周りには弾性部材が螺旋状に巻き付いており、デザイン的にも斬新であり、栓体を取り外すと該弾性部材の引張り力により注出筒体の胴体部分に引き寄せられるため、内容物の注出の際に栓体が邪魔になることはない。
【発明を実施するための最良の形態】
【０００７】
以下、図面を参照して本発明を具体的に説明する。
図1は本発明にしたがう注出ノズルの実施の形態をスクイズ容器に装着した場合について示した図であり、図2は注出ノズルの分解状態を示した外観斜視図である。
【０００８】
図における番号1は先端に向けて径が徐々に細くなる先細り形状の注出筒体である。この注出筒体1は容器内の内容物を通す内部通路1aが形成されており、その末端部には、容器の口部の内周壁に嵌合する嵌合筒1bと、この嵌合筒1bが嵌合した状態（姿勢）でもって容器の口部端面（上端面）に当接するフランジ部1cが設けられている。
【０００９】
また、2は注出筒体1の先端に着脱自在に嵌合保持され先端開口1dを閉塞する栓体、3は注出筒体1を容器の口部にねじ止め固定するベースキャップである。ベースキャップ3は注出筒体1を通す貫通孔3a（図2参照）が形成されており、この貫通孔3aに注出筒体１を通し、天面壁3bと容器の口部端面との間で注出筒体1のフランジ部1cを挟持することにより注出筒体1を容器の口部にねじ止め固定する。
【００１０】
さらに、4は合成樹脂のコイルスプリングにて構成された弾性部材である。この弾性部材4は注出筒体の周りに沿って配置されており、その上端は栓体2に連結しており、下端はベースキャップ3に連結している。
【００１１】
栓体2につながる弾性部材4は注出筒体1の周りに沿って螺旋巻きに配置されるので、デザイン的には極めて斬新であり、栓体2を取り外した状態では、図1の仮想線で示す如く、弾性部材4の引張り力により注出筒体1の胴体部分に密着することになるので、内容物の注出の際に該栓体2が邪魔になることはない。
【００１２】
注出ノズルの構成部材は、基本的には合成樹脂を用いて成形することができ、栓体2、弾性部材4及びベースキャップ3を1パーツとした場合に、注出筒体1と合わせて2パーツで構成できる利点がある。
【産業上の利用可能性】
【００１３】
栓体が邪魔にならず、斬新なデザインになる注出ノズルが提供できる。
【図面の簡単な説明】
【００１４】
【図１】本発明にしたがう注出ノズルの実施の形態を示した図である。
【図２】図1に示した注出ノズルの分解状態を示した外観斜視図である。
【符号の説明】
【００１５】
1  注出筒体
1a  内部通路
1b  嵌合筒
1c  フランジ部
1d  先端開口
2  栓体
3  ベースキャップ
3a  貫通孔
3b  天面壁
4  弾性部材
【図１】
2008247456.tif 000003
【図２】
2008247456.tif 000004
(57)【要約】【課題】納豆を食べるとき、指先が汚れることなく醤油や辛子等を納豆にかけることが出来る納豆容器を提供するものである。【解決手段】箸、串などの先端部を突き刺すことにより開封可能な材質でつくられ醤油１１、辛子１２などの納豆調味料（薬味）が入っている各樹脂製密封パックを、樹脂製容器の内側角部に角部の形状に沿ってそれぞれ接着した納豆容器。【選択図】図１
2008247482.tif 000002
【特許請求の範囲】
【請求項１】
箸、串などの先端部を突き刺すことにより開封可能な材質でつくられ醤油１１、辛子１２などの納豆調味料（薬味）が入っている各樹脂製密封パックを、樹脂製容器の内角部に角部の形状に沿ってそれぞれ接着したことを特徴とする納豆容器。
【発明の詳細な説明】
【技術分野】
【０００１】  この発明は、醤油及び辛子などが入ったパックから内容物を簡単に手を汚さずに出すことができる納豆容器の改良に関するものである。
【背景技術】
【０００２】  市販されている納豆の容器は、図７、図８に示すようにその蓋１ａを開けると納豆２０の上にセロハン１０が被せてあり、その上に醤油、辛など納豆調味料が入った樹脂製パック１４が載せてあるものがほとんどである。また、図７、８の市販されている納豆の容器を改良した公開公報としては、次のものがある。【０００３】
【特許文献１】特開２００３−３１２７４９号公報
【特許文献２】登録実用新案第３０３８７９０号公報
【発明の開示】
【発明が解決しようとする課題】
【０００４】  上述したような市販品は、納豆を食べるとき、蓋１ａを開けて醤油１１及び辛子１２などが入った樹脂製パック１４を取り出し、さらにセロハン１０も取り外し、樹脂製パック１４を両手の指先でつかみ、樹脂製パック１４を交差させて引きちぎるなどして出口をつくり、醤油１１や辛子１２等を絞り出している。この時、醤油１１や辛子１２が飛散し両手の指先に付着し指先が汚れる。
この発明は、納豆を食べるとき、指先が汚れることなく醤油や辛子等を納豆にかけることが出来る納豆容器を提供するものである。
また、特許文献１，特許文献２では、この点を改良したものであるが構造的に問題がある。この発明は、特許文献１，特許文献２の問題点を解決したものである。
【課題を解決するための手段】
【０００５】  箸、串などの先端部を突き刺すことにより開封可能な材質でつくられ醤油１１、辛子１２などの納豆調味料（薬味）が入っている各樹脂製密封パックを、樹脂製容器の内側角部に角部の形状に沿ってそれぞれ接着したことを特徴とする納豆容器。
【発明の効果】
【０００６】  この発明の納豆容器によれば、指先が汚れることなく醤油や辛子等を納豆にかけることが出来る納豆容器を提供することができることは勿論のこと、構造が簡単なため量産に適し製造コストを低減できるので安価な製品をつくることができる。
【発明を実施するための最良の形態】
【０００７】  以下、図面に基づいて、この発明の各実施例を説明する。
なお、図中の同一符号は、重複説明を避けるため同一又は相当部分を示している。
実施例１、
図１から図３は、納豆調味料（薬味）入れ容器として樹脂製円筒形密封パックを用いたものである。
図１は、納豆容器本体１の平面図、図２（ａ）（ｂ）（ｃ）（ｄ）は樹脂製円筒形密封パックの斜視図、側断面図、側面図、平面図である。
図３は使用状態を示す納豆容器本体１の側断面図である。
この実施例１では、図２に示す樹脂製円筒形密封パック１４が図１に示すように納豆容器本体１の内側角部２ａ，２ｂに接着剤１３で接着されている。
樹脂製円筒形密封パック１４は、材質がサランラップのような安全な樹脂製円筒形チューブである。
この樹脂製円筒形密封パック１４には、たとえば醤油１１、辛子１２などの納豆調味料（薬味）が個々に入っている。
納豆を食べるため醤油１１、辛子１２の中味を取り出す時は、蓋１ａを開け、図３に示すように割り箸３でサランラップのような樹脂製円筒形密封パック１４を突いて孔をあける（刺せば破ける）ことにより中身を取り出すことができる。
したがって、この納豆容器を製造する場合、納豆容器本体１と樹脂製円筒形密封パック１４とを別々に簡単に製作でき製造が簡単であり、しかも使用上取り扱いが利便である。【０００８】実施例２、
図４から図６は、納豆調味料（薬味）入れ容器として樹脂製三角形密封パックを用いたものである。図５は、（ａ）は、（ｂ）、（ｃ）は樹脂製三角形密封パックの各側面図、（ｄ）は樹脂製三角形密封パックの斜視図ある。
図６は使用状態を示す納豆容器本体１の側断面図である。
この実施例２では、図５に示す樹脂製三角形密封パック１４が４に示すように納豆容器本体１の内側角部２ａ，２ｂに接着剤１３で接着されている。
樹脂製三角形密封パック１４は、材質がサランラップのような安全な樹脂製三角形チューブである。
この樹脂製三角形密封パック１４には、たとえば醤油１１、辛子１２などの納豆調味料（薬味）が個々に入っている。
納豆を食べるため醤油１１、辛子１２の中味を取り出す時は、蓋１ａを開け、図６に示すように割り箸３でサランラップのような樹脂製三角形密封パック１４を突いて孔をあける（刺せば破ける）ことにより中身を取り出すことができる。【０００９】  以上のように２通りの方法があるが、醤油及び辛子等の設け方は、各図ともすべて同じ内側角部で４箇所あるうちの２箇所に設ける。
【図面の簡単な説明】
【００１０】
【図１】  この発明の実施例１における納豆容器本体１の平面図である。
【図２】  （ａ）は円筒形密封パックの斜視図、（ｂ）は円筒形密封パックの側断面図、（ｃ）は円筒形密封パックの側面図、（ｄ）は円筒形密封パックの平面図である。
【図３】  実施例１の使用状態を示す納豆容器本体１の側断面図である。
【図４】  この発明の実施例２における納豆容器本体１の平面図である。
【図５】  （ａ）は、（ｂ）、（ｃ）は樹脂製三角形密封パックの各側面図、（ｄ）は樹脂製三角形密封パックの斜視図ある。
【図６】  実施例２の使用状態を示す納豆容器本体１の側断面図である。
【図７】  従来の納豆容器本体１の斜視図である。
【図８】  従来の納豆容器本体１の側断面図である。
【符号の説明】
【００１１】  １  納豆容器本体                      １ａ  納豆容器の蓋
２ａ  納豆容器の内側角部              ２ｂ  納豆容器の内側角部
３  割り箸                            １０  セロハン
１１  醤油                            １２  辛子（からし）
１３  接着剤                          ２０  納豆
１４  樹脂製密封パック（サランラップのような薄膜で形成されたパック）。
【図１】
2008247482.tif 000003
【図２】
2008247482.tif 000004
【図３】
2008247482.tif 000005
【図４】
2008247482.tif 000006
【図５】
2008247482.tif 000007
【図６】
2008247482.tif 000008
【図７】
2008247482.tif 000009
【図８】
2008247482.tif 000010
(57)【要約】【課題】  熱エネルギー損失を少なくすることのできる復水回収装置を得ること。【解決手段】  蒸気使用機器２の出口側に復水集合タンク３を介して復水圧送部材４の復水流入口８と接続する。復水圧送部材４の高圧操作流体導入口１０に高圧蒸気管１７を接続する。復水圧送部材４の高圧操作流体排出口１１に排出管１３を介して圧力制御弁１４を接続する。  圧力制御弁１４の設定圧力値を、復水集合タンク３から復水圧送部材４へ復水が流下することができるだけの高圧状態に維持することにより、復水圧送部材４の高圧操作流体排出口１１から外部へ排出される、復水圧送部材４内部の再蒸発蒸気量を少なくすることができ、蒸気損失すなわち熱エネルギー損失を減じることができる。【選択図】 図１
2008170126.tif 000002
【特許請求の範囲】
【請求項１】
蒸気使用機器で発生した復水を復水圧送部材によりボイラーあるいは給水タンク等の復水回収先へ回収するものにおいて、復水圧送部材の高圧操作流体排出口に圧力制御弁を取り付けて、当該圧力制御弁によって復水圧送部材の内部を所定の圧力状態に維持することを特徴とする復水回収装置。
【発明の詳細な説明】
【技術分野】
【０００１】
本発明は、蒸気使用機器で発生した蒸気の凝縮水としての復水を、ボイラー等の復水回収先へ回収する復水回収装置に関する。
【背景技術】
【０００２】
従来の復水回収装置は、蒸気使用機器の復水出口側をスチームエゼクタの吸込口と接続し、スチームエゼクタの出口側を流体圧送式のポンプ手段と接続し、ポンプ手段の出口側を復水回収先と接続したもので、電気部を使用することなく、蒸気使用機器で発生した復水を吸引し、所定箇所へ回収することができるものである。
【０００３】
上記従来の復水回収装置では、いまだ比較的高い熱エネルギーを保有する再蒸発蒸気の一部を、復水圧送部材の排気弁から系外へ排出するために、蒸気損失すなわち熱エネルギー損失を生じる問題があった。
【特許文献１】特許第２８７６２７９号公報
【発明の開示】
【発明が解決しようとする課題】
【０００４】
解決しようとする課題は、蒸気損失すなわち熱エネルギー損失を極力少なくすることのできる復水回収装置を得ることである。
【課題を解決するための手段】
【０００５】
本発明は、蒸気使用機器で発生した復水を復水圧送部材によりボイラーあるいは給水タンク等の復水回収先へ回収するものにおいて、復水圧送部材の高圧操作流体排出口に圧力制御弁を取り付けて、当該圧力制御弁によって復水圧送部材の内部を所定の圧力状態に維持するものである。
【発明の効果】
【０００６】
本発明は、復水圧送部材の高圧操作流体排出口に圧力制御弁を取り付けたことによって、復水圧送部材の内部の圧力を、蒸気使用機器から復水圧送部材内へ復水が流入できるだけの高圧状態に維持することにより、復水圧送部材の高圧操作流体排出口から系外へ排出する再蒸発蒸気量を少なくすることができ、蒸気損失すなわち熱エネルギー損失を減じることができる。
【発明を実施するための最良の形態】
【０００７】
本発明は、復水圧送部材の高圧操作流体排出口に圧力制御弁を取り付けるものであるが、圧力制御弁としては、いわゆる圧力調節弁と圧力センサーを組み合わせたものや、あるいは、一次圧力調整弁などを用いることができる。
【実施例】
【０００８】
図１において、蒸気供給管１を接続した蒸気使用機器２と、復水集合タンク３、及び、復水圧送部材４とで復水回収装置を構成する。
【０００９】
蒸気供給管１の右側部は図示しない蒸気供給源としてのボイラーと接続して、蒸気使用機器２へ所定圧力の蒸気を供給する。蒸気使用機器２の出口側には、蒸気トラップ５とバルブ６を介在して復水集合タンク３を接続する。蒸気トラップ５は、蒸気使用機器２で蒸気が熱を奪われて凝縮した復水だけを、復水集合タンク３側へ排出するものである。
【００１０】
復水集合タンク３の下方に管路７を介して復水圧送部材４を接続する。復水圧送部材４は、復水流入口８と復水流出口９、及び、高圧操作流体導入口１０と高圧操作流体排出口１１を有し、復水流入口８に逆止弁１２を介して管路７を接続する。
【００１１】
高圧操作流体排出口１１には排出管１３を接続すると共に、圧力制御弁１４を接続する。本実施例における圧力制御弁１４は、いわゆる一次圧力調整弁１４を用いた例を示す。この一次圧力調整弁１４は、一次側すなわち高圧操作流体排出口１１側の圧力を検知して、この圧力が設定圧力値を上回ると自動的に開弁して流体を出口側へ排出するものであり、この作用によって、一次側すなわち高圧操作流体排出口１１側の圧力を所定の設定圧力に維持することができるものである。
【００１２】
復水集合タンク３と復水圧送部材４とを連通する管路７に取り付けた逆止弁１２は、復水集合タンク３から復水圧送部材４内への復水の流下を許容し、反対の流れは阻止するものである。同様に、復水流出口９に逆止弁１５を介して復水圧送管１６を接続する。この逆止弁１５は、復水圧送部材４内から復水圧送管１６側への復水の流下を許容し、反対の流れは阻止する機能を有する。
【００１３】
高圧操作流体導入口１０へ蒸気供給管１を分岐した高圧蒸気管１７を接続する。復水圧送部材４は、内部に配置した図示しないフロートが下方部に位置する場合に、高圧操作流体導入口１０を閉口し、一方、高圧操作流体排出口１１を開口して、管路７から復水を逆止弁１２と復水流入口８を通して復水圧送部材４内に流下させる。
【００１４】
高圧操作流体排出口１１は、排出管１３を介して一次圧力調整弁１４と接続されているために、この一次圧力調整弁１４の設定圧力値を維持することによって、復水集合タンク３から復水圧送部材４へ復水が流下することができるだけの高圧状態に維持することにより、復水圧送部材４の高圧操作流体排出口１１から外部へ排出される、復水圧送部材４内部の再蒸発蒸気量を少なくすることができ、蒸気損失すなわち熱エネルギー損失を減じることができる。
【００１５】
復水圧送部材４内に復水が溜まって図示しないフロートが所定上方部に位置すると、高圧操作流体排出口１１を閉口し、一方、高圧操作流体導入口１０を開口して、高圧蒸気管１７から高圧圧送用蒸気を内部に流入させることにより、内部に溜まった復水を復水流出口９と逆止弁１５と復水圧送管１６を通してボイラー等の復水回収先へ圧送する。
【００１６】
復水が圧送されて復水圧送部材４内の液位が低下すると、再度、高圧操作流体導入口１０を閉口し、高圧操作流体排出口１１を開口することにより、復水流入口８から復水を内部へ流下させる。このような作動サイクルを繰り返すことによって復水を回収する。
【図面の簡単な説明】
【００１７】
【図１】本発明に係る復水回収装置の実施例を示す構成図。
【符号の説明】
【００１８】
１  蒸気供給管
２  蒸気使用機器
３  復水集合タンク
４  復水圧送部材
５  蒸気トラップ
８  復水流入口
９  復水流出口
１０  高圧操作流体導入口
１１  高圧操作流体排出口
１３  排出管
１４  圧力制御弁
１６  復水圧送管
１７  高圧蒸気管
【図１】
2008170126.tif 000003
(57)【要約】【課題】従来の製氷は角形に製氷させることしかできなかった。これは凍るまでその形状の状態を維持させることが出来なかったからである。又、凍るときに水の体積が増加することなども障害になり任意の形状に製氷させることが出来なかった。【解決手段】分離した容器（カプセル）ヤプレート、金属などに任意の形状を形とりし、鍋などに貯えた水中でそのカプセルやプレートに、水を封じ込めることによりその形状を凍るまで維持させることが可能となる。水が凍るときの体積増加にも冷蔵庫などで使用する「タッパー」等の柔軟性を持った素材を使用することにより対応できる。金属性の容器ではネジ切りを施し内面に収縮性の素材でコーティグを施し凍るときの体積増加に対応させる。【選択図】図1
2008170086.tif 000002
【特許請求の範囲】
【請求項１】
家庭用冷蔵庫や冷凍庫で作る製氷において、その氷の形をピンポン玉の球形や、その他の任意の立体形状に形とりした容器(カプセル)や板状のプレートには複数の立体形状に形とりし、金属で作るものにも同様の立体形状を形とりし、その形とりしたものに水を封じ込め、その状態のまま凍らせ目的とする任意の形、大きさ、の氷を作ることを特徴とする製氷器。
【請求項２】
容器（カプセル）やプレートや金属などに形とりした容器は分離できる構造とし、それぞれ凸部と凹部やネジ切り等を持ち、この部分で水を封じ込めて、あわせると目的の形になるものとする。封じ込める水は「鍋」等に貯えた水中でそれぞれの容器（カプセル）やプレートや金属等に形とりした容器を合わせ、水を封じ込めることを特徴とする請求項１の製氷器。
【請求項３】
容器(カプセル)やプレートを作る素材は、水が凍るときの体積増加や氷点下にも耐えうる素材とする。金属製のカプセルは水が凍るときの体積増加に対応するために，内面に伸縮性の材料などでコーティングを施し、外側には容易にはずせるように滑り止め等をつけることを特徴とする請求項２の製氷器。
【発明の詳細な説明】
【技術分野】
【０００１】
本特許は冷蔵庫や冷凍庫で水を凍らせる製氷器に関する。
【背景技術】
【０００２】
冷蔵庫や冷凍庫の製氷技術は従来、製氷容器に間仕切りで分離させ角型の氷を作るのが一般的である。
【０００３】
【特許文献１】特許公開２００３−５６９９５６号公報
【特許文献２】特許公開２００３−３２２４４１号公報
【発明の開示】
【発明が解決しようとする課題】
【０００４】
従来の製氷技術は、製氷容器に間仕切りし水を分離させ角型の氷を作るという状態であった。これは任意の形状に凍らせるには任意の形状のまま、凍るまでその形状を維持させることが困難なためである。又、水が凍るとき水を１とする体積が１１分の１増加するという物理的な障害があった、
【課題を解決するための手段】
【０００５】
水が凍るまでその形状を維持させるために、重ね合わせる容器（カプセル）やプレートなどに形とりした容器に水を封じ込め、その状態を維持させ冷蔵庫などで凍らせる。水を封じ込めるには料理用の鍋などに水を貯えた水中で水を封じ込める。このとき水が漏れないように完全に止水する。水が凍るときには体積が膨張するが、その膨張率は１１分の１である。３Ｃｍの球形の水が凍るときその体積の膨張は外形寸法でわずか０．４５ｍｍ程度である。プレートやカプセルの素材は冷蔵庫で使用する「タッパー」などに使用されている柔軟性を持ったものを使用することで膨張しても吸収できる余裕をもっている、プレートやカプセルは二つに分離しており膨張してもプレートやカプセルの接合部が浮き上がるなどで対応できる構造となっている。金属製のカプセルは合わせる部分にネジ切り等を施すが金属では膨張時には対応できない。そこで，内面に収縮性のある素材でコーティグを施し膨張時に対応させる。
【発明の効果】
【０００６】
以上の方法により任意の形状の氷を作ることができ、球形や卵形、動物形等の形をした氷を作ることができる。特に球形の氷はウイスキーのオンザロックに最適である。球形は多面形に比べると表面積が最小であり、多面形の氷に比べ融けにくい。
【発明を実施するための最良の形態】
【０００７】
以下、本発明の形態を図面に基づき説明するが、図面は解説のためのものであって、本発明の技術的範囲を限定するものではない。
【実施例１】
【０００８】
図１がプレート型の製氷器の形状である。図ではピンポンアイスの形状を示しているが、勿論形状は任意であり色々な形、大きさで作り水をその形状に凍らせる。図２がカプセル型製氷器の図である。プレート型、カプセル型、共に接合部は凸部と凹部で水を封じ込める構造であり、結氷時の体積増加に浮き上がるなどで対応する構造となっている。これを作る素材としては冷蔵庫で使用する「タッパー」等の柔軟性を持っている素材などとする。図３が金属製のオンザロック用アイス製氷器である。接合部にはネジ切りを施し内面には膨張時の体積増加に対応できるように収縮性のある素材のコーティグを施し、外面には氷を取り出しやすくするための「滑り止め」をつける。
【産業上の利用可能性】
【０００９】
現在、イベント会場等において、氷で作る彫刻で涼風感を演出しているが、この方法により大きな形状の氷を凍らせれば、彫刻などの特別な技術がなくても作成できる。
【図面の簡単な説明】
【００１０】
【図１】プレート型の製氷器
【図２】カプセル型の製氷器
【図３】金属型の製氷器
【図１】
2008170086.tif 000003
【図２】
2008170086.tif 000004
【図３】
2008170086.tif 000005
(57)【要約】      （修正有）【課題】衣服などに直接留める機能を持たせたミニ旗を提供する。【解決手段】旗竿１の一端を折り曲げて、安全ピンの針３を作る。旗竿１の適当の部分に針受け部４を設ける。【選択図】図１
2008170916.tif 000002
【特許請求の範囲】
【請求項１】
旗竿の一端を安全ピンの形にする。以上を特徴とする衣服などに直接留める留められるミニ旗。
【発明の詳細な説明】
【技術分野】
【０００１】  本発明は、ミニ旗の旗竿の一端を安全ピンの形にした、衣服などに留める留められるミニ旗に関する物である。
【背景技術】
【０００２】  従来のミニ旗の旗竿は、安全ピンと別々に設けてあった。
【発明の開示】
【発明が解決しようとする課題】
【０００３】  そのために、次のような問題点があった。
ミニ旗を衣服などに直接留めることができなかった。本発明は、この問題点を解決するためになされたものである。
【課題を解決するための手段】
【０００４】  旗竿の一端を安全ピンの形にすることで、旗竿と安全ピンが一体に作る。以上を特徴とする衣服などに直接留める留められるミニ旗である。
【発明の効果】
【０００５】  ミニ旗を衣服などに直接留めることができるようになった。取り外しが簡単で、面白く、かつ安全で目立つ。生産することが簡単である。
【発明を実施するための最良の形態】
【０００６】  旗竿（１）の一端を折り曲げて、安全ピンの針（３）を作る。旗竿（１）の適当の部分に針受け部（４）を設ける。
本発明は以上のような構成で、これを使うときは、安全ピン（２）で衣服などに直接ミニ旗を留める。
または図２でに示すように、旗竿（１）の一端に安全ピン（２）を付けてもよい。
【図面の簡単な説明】
【０００７】
【図１】  本発明の斜視図
【図２】  本発明の一部を切り欠し側面図
【図３】  本発明の他の実施例を示す斜視
【符号の説明】
【０００８】  １  旗竿
２  安全ピン
３  針
４  針受け部
【図１】
2008170916.tif 000003
【図２】
2008170916.tif 000004
【図３】
2008170916.tif 000005
(57)【要約】      （修正有）【課題】帽子などに直接留める機能を持たせたミニ旗を提供する。【解決手段】旗竿１の一端を折り曲げて、クリップ２の形にして、帽子などに直接留める留められるミニ旗である。【選択図】図１
2008170917.tif 000002
【特許請求の範囲】
【請求項１】
旗竿の一端をクリップの形にしたことを特徴とする帽子などに直接留める留められるミニ旗。
【発明の詳細な説明】
【技術分野】
【０００１】  本発明は、ミニ旗竿の一端をクリップの形に折り曲げて、帽子などに直接留める留められるミニ旗に関するものである。
【背景技術】
【０００２】  従来のミニ旗の旗竿とクリップは別々に設けてあった。
【発明の開示】
【発明が解決しようとする課題】
【０００３】  そのために、次のような問題点があった。
ミニ旗を帽子などに直接留めることができない。本発明は、これらの問題点を解決するためになされたものである。
【課題を解決するための手段】
【０００４】  旗竿の一端をクリップの形にする。
本発明は、以上を特徴とする帽子などに直接留める留められるミニ旗である。
【発明の効果】
【０００５】  旗竿の一端をクリップの形にすることで、ミニ旗を帽子などに直接留めることができるようになる。生産することが簡単である。面白さが備えられ、取り外しが簡単で、安全かつ目立つなどの側面から、スポーツ観戦応援グッズとしても使える。
【発明を実施するための最良の形態】
【０００６】  旗竿（１）の一端を折り曲げて、クリップ（２）の形にする。
本発明は以上のような構成で、使用するときは、クリップ（２）を帽子のツバに直接留める。
【図面の簡単な説明】
【０００７】
【図１】  本発明の斜視図
【図２】  本発明の使用例を示す斜視図
【符号の説明】
【０００８】  １  旗竿
２  クリップ
【図１】
2008170917.tif 000003
【図２】
2008170917.tif 000004
(57)【要約】      （修正有）【課題】鏡表面そのものにアクセントや装飾効果をもたらす事ができる自動車用のルームミラーを提供する。【解決手段】ルームミラーのベースフレーム４とミラー本体１の間にＬＥＤが予め接続された発光アクリルプレート３設置し、発光アクリルプレート表面に抜き文字のシール２を張ることによりルームミラーの鏡表面そのものに文字を浮かび上がらせる事が可能となる為、今までに無い鏡表面そのものにアクセントや装飾効果をもたらす事が可能となる。【選択図】図２
2008170914.tif 000002
【特許請求の範囲】
【請求項１】
自動車のフロントウインドウ上部に取り付けられている純正ルームミラーに挟み込むように装着するルームミラー本体と前記ルームミラーの鏡とルームミラーのベースフレームの間に設置されたＬＥＤ接続済み表面発光アクリルプレートが、アクリルプレートの発光部分の表面に配設された、文字が切り抜かれたシールを裏側から照射することにより前記市販品ルームミラーの鏡の表面の一部に文字が浮かび上がらせる事が出来るという特徴を持つ自動車用ＬＥＤ発光ルームミラー。
【請求項２】
ＬＥＤのオン、オフはＬＥＤに結線された配線を自動車用ＬＥＤ発光ルームミラー本体裏側より出ているプラス線、マイナス線を車体のプラス配線、マイナス配線に接続するだけで点灯するようにしたことを特徴とする請求項１記載の自動車用ＬＥＤ発光ルームミラー。
【発明の詳細な説明】
【技術分野】
【０００１】本発明は自動車のルームミラーに挟み込むように取り付け、また本発明品付属の配線を車体のプラス線、マイナス線に接続することにより請求項１に記載した原理により文字がルームミラー本体の鏡表面に浮かび上がる自動車用ＬＥＤ発光ルームミラーに関する。
【背景技術】
【０００２】従来の市販品のルームミラーは、例えば純正のルームミラーに対し広角な視界を確保したりルームミラーの外側のカバー部分にＬＥＤが埋め込まれて光が露出するようにしたりする事により車内の雰囲気を変えていた。
【発明の開示】
【発明が解決しようとする課題】
【０００３】しかし、従来のルームミラーは広角な視界を確保、またはルームミラーの外側のカバー部分にＬＥＤが埋め込まれて光が露出する等あくまでもルームミラーの鏡表面以外の外枠の部分の話であり、ルームミラーの鏡表面そのものにアクセントや装飾効果を与えることが出来ないという問題があった。（例えば、非特許文献１参照）
【非特許文献１】「株式会社ミラリード  商品総合カタログ２００６」
【課題を解決するための手段】
【０００４】  この発明は、上記の課題を解決するために発明されたものであり、ルームミラーの鏡本体（接着剤塗布済み、飛散防止加工済み）とルームミラーのベースフレームの間に抜き文字シールを張り合わせたＬＥＤ装着済みの発光アクリルプレートを設置するという簡単な構成で、運転中の視界を妨げることなく、また、昼夜問わずルームミラーの鏡表面にアクセントや装飾効果を与えることが出来る。【０００５】  本発明は上記目的を達成する為ＬＥＤの発光色、また好みの文字デザインを製作することによりあらゆるデザインの文字をルームミラーの鏡表面に浮かび上がらせる事が出来るということを目的とする。
【発明の効果】
【０００６】  上述したように本発明の自動車用ＬＥＤ発光ルームミラーはＬＥＤの発光色と文字の組み合わせによりルームミラーの鏡表面に見た目にも美しい文字を浮かび上がらせることが可能となり、様々なアクセントや装飾効果をもたらす事が可能という効果を発揮する。【０００７】  また自動車用ＬＥＤ発光ルームミラーは発明品本体の裏側より出ているプラス線とマイナス線を車体のプラス配線、マイナス配線に結線のみという簡単な取付方法により特にスモールランプのオン、オフに連動しなくても室内灯（ルームランプ）のオン、オフに結線することによりドアを開閉した時に点灯させても特に問題は無い。
【発明を実施するための最良の形態】
【０００８】  図１はこの発明の実施例を示す自動車用ＬＥＤ発光ルームミラー本体正面部分断面図１、図２は発明品の部品構成図である。
【図面の簡単な説明】
【０００９】
【図１】本発明品の正面部分断面図
【図２】本発明の構成図
【符号の説明】
【０００１０】  ルームミラー鏡本体  ａ抜き文字シール  ｂＬＥＤ接続済み表面発光アクリルプレート  ｃルームミラーベースフレーム
【図１】
2008170914.tif 000003
【図２】
2008170914.tif 000004
(57)【要約】【課題】    中国語の漢字に、その四声に対応する色を割り当て、その色を字体そのものや、マーキング色として使用することにより、四声の学習効果を飛躍的に増大させる方法を提供する。四声に四色を対応させることから四声四色法と称す。【解決手段】    第一声の漢字には青色系統の色を、第二声の漢字には赤色系統の色を、第三声の漢字には土色系統の色を、第四声の漢字には緑色系統の色を割り当てる。文中では漢字そのものをその割り当て色とするか、漢字にその色でマーキングを施す。  発声するときは、上記手段が施された漢字に対して、青色の漢字や青色でマーキングされた漢字は第一声で、赤色の漢字や赤色でマーキングされた漢字は第二声で、土色の漢字や土色でマーキングされた漢字は第三声で、緑色の漢字や緑色でマーキングされた漢字は第四声で発声する。【特許請求の範囲】
【請求項１】
中国語の漢字に、その四声といわれる声調（以下「四声」）にあわせた色、例えば第一声には青色系統色、第二声には赤色または桃色系統色、第三声には土色系統色、第四声には緑色系統色を割り当て、その色を漢字そのもの、もしくはマーキング色として利用することにより、漢字の声調の学習をより効果的にする方法。四声に四色を対応させることから、当アイデアを「四声四色法」とした。
【請求項２】
中国語の漢字の発音記号として付記されるピンイン部分を、その四声に応じた色とするか、その色をマーキングする。
【発明の詳細な説明】
【発明の詳細な説明】
【技術分野】
【０００１】  この発明は、中国語の漢字やその漢字にふられたピンインに、その四声に対応させた色をマーキングすることで、中国語の漢字の四声が記憶しやすくなり、学習に大いなる効果が期待できる学習方法である。また色を一見しただけでその漢字の四声がわかることから、スムーズな音読を導く方法でもある。
【背景技術】
【０００２】  従来は中国語の漢字の発音や四声は表記に関してはピンインによるものしかなかった。
そのピンインでは表記記号としてローマ字が使われており、四声については特殊な四声記号が使われる。ひとつの漢字のピンインは通常複数のローマ字からなっており、四声記号はそのローマ字のひとつの上部に振られるのが一般的である。であるからその四声記号は漢字に比べて極端に小さいものであった。
【発明が解決しようとする課題】
【０００３】  これには次のような欠点があった。
従来、四声は表記の世界ではピンイン上にふられた四声記号から掴むしかなく、覚えるのが大変であった。
またその四声記号が小さなことからなかなか見にくく、高齢者には拡大鏡を必要としたり、確認のため、わざわざ辞書を引きなおしたりと、学習に余分な手間暇がかかるのが常であった。
本発明は、以上のような欠点をなくすためになされたものである。
【課題を解決するための手段】
【０００４】  第一声の漢字には青色系統の色を、第二声の漢字には赤色もしくは桃色系統の色を、第三声の漢字には土色系統の色を、第四声の漢字には緑色系統の色を割り当てる。ただし軽声には何色も割り当てない。実際の文中ではその割り当てた色つきの漢字を直接使うか、その色で漢字をマーキングする。
たとえば、「私は中国人です」という文の中国語「我是中国人」の場合は次の１）〜３）の様になる。
2008170911.tif 000002
「  我  是  中  国  人  」  あるいは  「  我  是  中  国  人  」
第一声から第四声にそれぞれ「青色系統色」「赤色または桃色系統色」「土色系統色」「緑色系統色」をわりあてた理由は、「青」という漢字の四声が第一声であり、「赤」もしくは「桃」という漢字の四声が第二声であり、「土」という漢字の四声が第三声であり、「緑」という漢字の四声が第四声であることによる。
第二声に「赤色」または「桃色」をわりあてたのは、「桃色」という概念が中国語に無く、いわゆる日本語での「桃色」は中国語では「紅色」もしくは「粉色」であるので、「赤色」のみの割り当てでも構わないが、マーキングのことを考慮したとき、なるべく薄い色が好ましいことから「桃色」も対象色としたことによる。
【発明を実施するための最良の形態】
【０００５】  発声するときは、上記手段により作成された中国語の文中の漢字に対して、青色の漢字や青色でマーキングされた漢字は第一声で、赤色または桃色の漢字や赤色または桃色でマーキングされた漢字は第二声で、土色の漢字や土色でマーキングされた漢字は第三声で、緑色の漢字や緑色でマーキングされた漢字は第四声で発声する。
【発明の効果】
【０００６】  たとえば「是」という漢字が辞書やテキストでいつも緑字だったり、緑色にマーキングされていれば、そのうち「是」という漢字をみれば緑色が思い浮かび、緑色が思い浮かべば、あとは少しの慣れでそれが第四声であるとすぐにわかる。つまりピンイン上の四声記号によるのではなく、色彩と視覚を通して四声が覚えられるため、学習効果が格段に増大する。
熟語の場合もなお一層の効果が期待できる。
たとえば、
2008170911.tif 000003
いることが印象として残りやすく、その印象が記憶に残ってしまえば、その後はどちらか一方の漢字の四声を思い出せば熟語の四声が判別できることになる。これもこの学習法の長所である。
2008170911.tif 000004
すべてマーキング色が違うという視覚面での印象が大切であり、その印象がその後の学習に生きてくる。
その他にもこの四声四色法は学習以外にもさまざまな効果が期待できる。声調の自動識別などへの応用も可能である。など同法のもたらす効果は大きい。
(57)【要約】【課題】手間のかかる三脚を使わず、通行人の邪魔にならず、且つ、簡単で多様性のある、カメラ用一脚を提供する。【解決手段】従来のカメラ用一脚の上下の発想を逆転させ、可動雲台を取り付け、手持ち撮影を主体として、自重回転を防ぐために脚の形状を円筒形にしない、等を特徴とする。【選択図】図１
2008170919.tif 000002
【特許請求の範囲】
【請求項１】
伸縮脚の先に可変動の雲台を取り付けたカメラ用一脚
【発明の詳細な説明】
【技術分野】
【０００１】    この発明は、カメラ用一脚の上下の概念を逆転させた一脚に関するものである。
【背景技術】
【０００２】    従来のカメラ用一脚は、雲台が固定されており多様性が無かった。
【発明の開示】
【発明が解決しようとする課題】
【０００３】    元来、写真撮影は、ファインダーを覗くか、三脚を用いて撮影するものであった。しかし、三脚は、素人にとっては水平などの設置にかなり手間がかかるものであり、通行人の邪魔になったりもする。また、記念写真など、三脚を用いない場合、シャッターを押す人が写らないという不便があった。
【課題を解決するための手段】
【０００４】    まず、ファインダーを覗くという概念と、カメラを固定するという概念を取り去る。それによって、即応性と多様性を持たせる。近頃のカメラは、軽量かつ手振れ防止機能付なので、手持ち撮影が可能である。
【発明の効果】
【０００５】    客観的に、棒の先にカメラを付けた状態であるため、人垣を越した撮影、路面付近からの撮影、自分達の撮影、が簡単に行える。ビデオ撮影においては、広範囲の回転撮影が可能になる。
【発明を実施するための最良の状態】
【０００６】    伸縮式一脚の太い方をグリップ側とし、反対側の細い方に可動式の雲台を取り付ける。一脚の形状は、カメラが下に重力回転しないように、四角形または楕円形にする。カメラの装着を簡単にするために、雲台のネジ部と台は分離し、ネジ部はカメラに着けておき、使用時に台にワンタッチでセッティングする。写真撮影の場合はセルフタイマーで、ビデオ撮りの場合はリモコン操作で使用する。不思議な事に、軽い棒の先に付いたカメラは、手で直持ちのカメラより振れも少なく安定している。雲台と脚との可動部は、締め付けネジは使わずバネ仕掛けとする。締め付けネジは不便である。
【図面の簡単な説明】
【０００７】
【図１】本発明の斜視図である。
【図２】本発明の使用時の斜視図である。
【図３】本発明の雲台部の斜視図である。
【符号の説明】
【０００８】      １  グリップ部
２  雲台
３  ６０ｃｍ〜１００ｃｍ
４  カメラ
５  雲台のネジ部
６  雲台の台部
【図１】
2008170919.tif 000003
【図２】
2008170919.tif 000004
【図３】
2008170919.tif 000005